(57)【要約】  【課題】使用者が整髪中に櫛全体を回転させるような場合、手指との間で充分な密着性が確保され、滑りの発生を抑制して確実に把持することができ、作業性の向上を図ることが可能な構造の理美容用の櫛を提供する。  【解決手段】複数の櫛歯３が基部２から外方に向けて一端４から他端５に至るまで列状に設けられる。基部２から後方に向けて棒状のテール部７が延設され、基部２とテール部７の境界部８には、テール部７から他端５側の櫛歯３の先端方向に向けてほぼ円弧状に形成されたあご部１０を設ける。テール部７が延設された方向に対する周方向に沿って、あご部１０の表面の少なくとも一部に、使用時に手指と接触する突条１１が設けられる。あご部１０の円弧状の端縁部１０ａは薄肉に形成される。【選択図】図１
0003115078.tif 000002
【実用新案登録請求の範囲】
【請求項１】
複数の櫛歯が基部から外方に向けて一端から他端に至るまで列状に設けられ、かつ基部から後方に向けて棒状のテール部が延設され、基部とテール部の境界部には、テール部から前記他端の櫛歯の先端方向に向けてほぼ円弧状に形成されたあご部を設けてなる理美容用櫛であって、
テール部が延設された方向に対する周方向に沿って、あご部の表面の少なくとも一部に、使用時に手指と接触する突条が設けられるとともに、あご部の円弧状の端縁部を薄肉に形成したことを特徴とする理美容用櫛。
【請求項２】
前記突条は複数が並列して設けられている請求項１に記載の理美容用櫛。
【請求項３】
前記あご部のテール部側後端には、手指に当接する突起が形成されている請求項１または２に記載の理美容用櫛。
【考案の詳細な説明】
【技術分野】
【０００１】
本考案は、整髪などに用いられる理美容用の櫛（以下、コームという）に関する。
【背景技術】
【０００２】
コームは、整髪に広く用いられているが、従来から使用されているのは、一般に、複数の櫛歯が、基部から所定方向に向かて列状に植設されていると共に、基部から後方に向かって棒状のテール部が延設されて構成されたものである。
【０００３】
上記のようなコームを使用して整髪するには、例えば、「あご」と呼ばれる基部とテール部の間の部分を親指と人差し指で挟むようにして持ち、親指と中指の内側でコームを基部からテール部にかけての軸を中心に回転させながら、髪を他方の手で押さえつつ櫛歯ですいて整える動作を行う。
【特許文献１】実登３０８４９１５号公報
【考案の開示】
【考案が解決しようとする課題】
【０００４】
上記のように、コームを回転させるような動作を含む作業をする場合、従来のコームでは、コーム本体２およびテール部３が平滑であるため、濡れた手や整髪料が付着した手で上記作業を行なうと滑り易く、使い勝手が悪いという問題があった。
また、美容師等がコームを業務で使用する場合は、作業のスピードや正確性が強く要求され、特に、作業中にコームを落下させることは能率低下を招くので好ましくない。
一般的に、コームは、美容師にとってきわめて使用頻度が高く重要な道具であるため、微妙な使い勝手の善し悪しが作業に大きく影響する。したがって、コームを持つ手指との一体感に優れた操作性が良いものが要求される。
【０００５】
本考案は、このような事情に鑑みてされたものであり、使用者が整髪中にコームを回転させるような場合、手指との間で充分な密着性が得られ、滑りの発生を抑制して確実に把持することができ、作業性の向上を図ることが可能な構造の理美容用櫛を提供することを課題とする。
【課題を解決するための手段】
【０００６】
本考案は、前記課題を解決するため以下のような手段を採用した。すなわち、
複数の櫛歯が基部から外方に向けて一端から他端に至るまで列状に設けられ、かつ基部から後方に向けて棒状のテール部が延設され、基部とテール部の境界部には、テール部から前記他端の櫛歯の先端方向に向けてほぼ円弧状に形成されたあご部を設けてなる理美容用櫛であって、
テール部が延設された方向に対する周方向に沿って、あご部の表面の少なくとも一部に、使用時に手指と接触する突条が設けられるとともに、あご部の円弧状の端縁部を薄肉に形成したことを特徴とする。
【０００７】
本考案のコームによれば、使用時にあご部の肉薄の端縁部が指に適度な引っ掛かりを生じさせ、かつ、コームを持つ親指と人差し指が突条に触れることになる。したがって、コームの回転動作をする場合に回転力を与える指、通常は、円弧状の端縁部に接触する中指、によってコームに確実な回転力が付与されることになり、また、あご部を両側から持ち、その回転をコントロールする親指と人差し指、及びコームの一体感が増すので、従来のものに比べて格段に微妙な操作がし易くなる。
【０００８】
前記突条は、複数が並列して設けられるようにするのが好ましい。突条が峰のように連なって形成されると、手指との摩擦力が増大するので、さらに持ちやすく、使用時に微妙なコントロールがしやすくなる。
これらの突条は、あご部の周囲設けられるが、通常、手指が触れるのは、あご部の両側面と底部であるので、少なくとも、あご部の一側面から底部を通り他側面まで連続するように設けることが好適である。
【０００９】
また、あご部のテール部側後端には手指に当接する突起を形成すると、コームの操作性がさらに良好になる。この場合は、あご部の円弧状の端縁に接触する指（通常、中指）が、前記突起によりテール部の後方に向かって動くことが抑制される。すなわち、中指を突起に掛けるようにしてコームを持つことで、コームとの一体感が増大して、回転動作等が一層、確実に行いやすくなる。
【考案の効果】
【００１０】
本考案によれば、コームを手に持った際、あご部に手指が確実に掛止され、コームと手指との一体感が向上するので、コームの操作性が改善される。したがって、コームの回転動作を含めた複雑かつ微量な動きに確実に対応できるコームが提供される。
【考案を実施するための最良の形態】
【００１１】
以下、本考案にかかるコームの構成を図１から図４に基づいて詳細に説明する。
本考案のコーム１は、「峰」と呼ばれている基部２から、所定方向に複数の櫛歯３が列状に形成されることで、基部２の前方側の一端４から他端５にかけて櫛部本体６が形成されている。
また、基部２から後方（矢印Ｘ方向）に向けて、さらに棒状のテール部７が延設されている。このテール部７は柄に相当する部分であるが、後端に向けて次第に径小になり、頭髪に分け目を入れる際にはその後端部７ａを使用する等、機能的な役割も果たす部分である。
【００１２】
前記基部２とテール部７の境界部８には、テール部７側から他端５の櫛歯３の先端方向に向けてほぼ円弧状に形成されたあご部１０が設けられている。このあご部１０の両側面は、コーム１の使用者がコームを持つ親指と人差し指が触れる部分である。また、円弧状の端縁部１０ａは、コームの回転動作をする場合に回転力を与える指、通常は中指が接触し、この中指と端縁部１０ａの摩擦によってコーム１に回転力が付与される。
【００１３】
前記あご部１０の両側面には、突条１１、１１が並設され、これらの突条１１、１１の間は溝部９となっている。
一方、あご部１０の円弧状の端縁部１０ａは、図４に示すように、その先端が肉薄に形成されている。なお、端縁部１０ａは、適度に肉薄に形成されればよく、その形状は図示のものに限定されることはない。
あご部１０は上記のような形態であるので、あご部１０を、例えば親指と人差し指で両側から挟むようにして持つ場合、これらの指が突条１１、１１に触れることで、あご部１０が平滑面である場合に比べて摩擦力が増大し、手指とコーム１の一体感が向上する。
【００１４】
また、円弧状の端縁部１０ａには、通常、中指の腹の部分が接触するが、上記のような肉薄の先端が中指に引っ掛かり、中指との間で滑りが生じにくくなる。したがって、コーム１をコントロールする中指の動きにコーム１が追随しやすくなる。
【００１５】
このように、あご部１０を両側面と親指及び人差し指、端縁部１０ａと中指との接触感が増大し、全体としてコーム１と手指の一体感が向上するので、コーム１に対する微妙なコントロール、特に中指による回転力の付与等の動作が確実にコーム１に伝達されるよう
になる。
【００１６】
さらに、あご部１０のテール部側後端には突起１２が形成されている。この突起１２は、櫛歯３が向いた方向に多く突出すると共に、わずかに両側面にも突出している。そして、全体は滑らかな凸面を備えている。
このような形態の突起１２を設けることにより、円弧状の端縁部１０ａに接触する中指の腹がこの突起１２にも接触する。このとき、突起１２はいわゆる滑り止めとしての機能を果たし、中指の接触位置が固定されるので中指による操作性がさらに良好になる。すなわち、中指を突起に掛けるようにしてコーム１を持つことで、コーム１との一体感が増大して、回転動作等が一層、確実に行いやすくなる。
【００１７】
次に、図５から図９において、コーム１の具体的な使用例を示しつつ、本考案のコームの作用を述べる。
図５から図９は、コーム１を回転させながら、頭髪をとく場合の一連の流れを示している。
図５においては、コーム１を持つ場合の基本的な手指の位置を示しており、あご部１０の両側面を親指と人差し指で挟み、かつ中指の腹を円弧状の端縁部１０ａ及び突起１２に接触させるようにして持つ。この状態で頭髪に櫛歯３を入れる。
【００１８】
図６では、コーム１を下方（手前）方向に移動させながら頭髪をとき、基部２及びテール部７を軸としてコーム１全体を時計回り方向に回転させる状態を示している。このとき、親指と人差し指であご部１０の側面を支持しながら、主に中指で端縁部１０ａを中心にコーム１に回転力を与える。
図７では、コーム１の移動を反対方向に変える（戻る）と共に、コーム１を逆方向に回転させる状態が示されている。
【００１９】
図８では、親指と人差し指、中指により、さらに逆方向への回転操作によってコーム１を返した状態が示されている。
図９では、人差し指を反対側に移動させ、親指と人差し指の位置を互いに変更し、これらと中指でコーム１を支持しながら、上方に引き上げる状態が示されている。
【００２０】
このような一連の動作において、突条１１、円弧状の端縁部１０ａ及び突起１２の果たす役割は大きく、図５の基本位置では、これらによって手指とコーム１との密着度が増し、各指がコーム１に確実に固定されるようになる。
【００２１】
次に、図６、図７のような回転動作をしても、突条１１，肉薄の端縁部１０ａ及び突起１２の作用があいまって、手指とコーム１の一体性が維持されるので、動作の安定性が格段に優れたものとなる。
図８に示す位置までコーム１を回転させる場合でも、特に、肉薄の端縁部１０ａが中指の動きに追随し、滑りが生じ難いため操作性がきわめて良好である。
【００２２】
図９のように、親指と人差し指の位置を交代させる（持ち替える）際にも、中指によってコーム１がしっかりと固定されているので操作性が良い。したがって、コーム１が親指と人差し指の位置から離れた瞬間にコントロール不能になったり、落下するような危険性もきわめて低くなる。
【００２３】
以上のように、本実施の形態に示すようなコーム１によれば、手指との一体感が向上してコーム１の操作性が改善されるので、コーム１の回転動作を含めた複雑かつ微量な動きが円滑に行える。したがって、理美容の現場における高度な要求に応えることが可能である。
【図面の簡単な説明】
【００２４】
【図１】本考案の理美容用櫛の全体を示す正面図である。
【図２】あご部を拡大して示す斜視図である。
【図３】あご部に付した突条の断面形状を示す図である。
【図４】あご部の円弧状の端縁部の断面形状を示す図である。
【図５】本考案の理美容用櫛の使用状態のうち、基本的な持ち方を示す斜視図である。
【図６】図５に示す状態から、櫛を時計回り方向に回転させた状態を示す斜視図である。
【図７】図６に示す状態から、櫛を反時計回り方向に回転させた状態を示す図である。
【図８】図７に示す状態から、櫛をさらに反時計回り方向に回転させた状態を示す図である。
【図９】図８に示す状態から動作が進行して手指の位置を変更し、持ち替えた状態を示す図である。
【符号の説明】
【００２５】
１      コーム（理美容用櫛）
２      基部
３      櫛歯
４      一端
５      他端
６      櫛部本体
７      テール部
７ａ    後端部
８      境界部
９      溝部
１０      あご部
１１      突条
１２      突起
【図１】
0003115078.tif 000003
【図２】
0003115078.tif 000004
【図３】
0003115078.tif 000005
【図４】
0003115078.tif 000006
【図５】
0003115078.tif 000007
【図６】
0003115078.tif 000008
【図７】
0003115078.tif 000009
【図８】
0003115078.tif 000010
【図９】
0003115078.tif 000011